(57)【特許請求の範囲】
【請求項１】
本体天井面中央部にノックアウトを有する空気調和機本体と、この本体の下面中央部に開口する吸込口と、前記本体周辺に沿って開口する吹出口と、前記本体内部の中央に設けられた空気循環用ファンと、この空気循環用ファンを駆動するモータと、を備えた天吊カセット形空気調和機において、前記ノックアウトに取り付けられた外気取入用ダクトと、前記ノックアウトに対向して前記本体の内側に設けられ、前記モータで駆動される外気取入用薄型ファンと、を具備したことを特徴とする天吊カセット形空気調和機。
【請求項２】
外気取入用ベルマウスを前記外気取入用ダクトの先端とともに前記ノックアウトに取り付けることを特徴とする請求項１記載の天吊カセット形空気調和機。
【請求項３】
本体天井面で前記外気取入用ベルマウスを形成したことを特徴とする請求項２記載の天吊カセット形空気調和機。
【請求項４】
本体天井面中央部にノックアウトを有する空気調和機本体と、この本体の下面中央部に開口する吸込口と、前記本体周辺に沿って開口する吹出口と、前記本体内部の中央に設けられた空気循環用ファンと、この空気循環用ファンを駆動するモータと、を備えた天吊カセット形空気調和機において、前記ノックアウトに取り付けられた外気取入用ダクトと、前記ノックアウトに対向して前記本体の外側に設けられ、前記モータで駆動される外気取入用薄型ファンと、を具備したことを特徴とする天吊カセット形空気調和機。
【請求項５】
前記外気取入用ダクトを外気取入用ファンケーシングを介して前記ノックアウトに取り付けたことを特徴とする請求項４記載の天吊カセット形空気調和機。
【発明の詳細な説明】
【０００１】
【産業上の利用分野】
この発明は天井内部に埋め込まれる天吊カセット形空気調和機に関するもので、特にその外気導入機能を実現するための構造に関するものである。
【０００２】
【従来の技術】
室内の空気は人間の呼吸、タバコの煙、埃などの様々な汚れにより汚染されており、室内の快適な環境をつくるためには、空調風量の３０％以上の新鮮外気が必要であると言われている。ところが、外気導入を行う際に換気装置等により生外気をそのまま取り入れたのではコールドドライが発生し、また天井面等に器具を設置するスペースが新たに必要となるなどの問題が発生する。そこで、空気調和機に外気導入ダクトを接続し、新鮮外気を空気調和機から取り込む方法がとられている。図８は、例えば特開昭６３−２５４３３４号公報に示された従来の外気導入機能を備えた空気調和機の内部構造を示す断面図である。図において、１は空気調和機本体で下面中央部に開口する吸込口２及び、周辺の各辺部に沿って開口する吹出口３を配し、５はモータ取付用レグ６により本体中央部に支持されたモータ、このモータ５の軸の先端には空気循環用ファン４が固着されている。７は空気循環用ファン４の外周に設けられた熱交換器であり、本体天井面に取り付けられている。１１は本体側面に設けられたノックアウト８と吸込口２をつなぐ本体内蔵ダクトであり、ノックアウト８にはブースタファン１０を収容する外気導入ダクト９が連結されている。
【０００３】
次に動作について説明する。空気循環用ファン４がモータ５により駆動されると空気調和機を備えた部屋の室内空気、及び外気が吸込口２から空気調和機本体１に吸い込まれる。この際外気は外気導入ダクト９、ノックアウト８及び本体内蔵ダクト１１を通って吸い込まれるため、外気導入ダクト９及び本体内蔵ダクト１１の風路抵抗分の圧力損失が生じるが、この圧力損失はブースタファン１０を駆動することによって補われている。吸い込まれた空気は空気循環用ファン４により周方向に送り出され、熱交換器７を通過することにより熱交換をされた後、吹出口３を通じ空気調和機本体１から室内へ導出される。
【０００４】
【発明が解決しようとする課題】
従来の空気調和機では空調される部屋に新鮮外気を導入する場合、外気導入ダクト９を空気調和機本体１に開けられたノックアウト８に取り付けることにより行っていた。ノックアウト８は吸込口２と本体内蔵ダクト１１で結ばれているが、天井に埋め込むスペースの関係から空気調和機本体１の大きさをなるべく小さくする必要があり、したがって空気調和機本体１の中に本体内蔵ダクト１１のスペースを十分確保する余裕がないため、十分な外気を導入することができず、また、内蔵ダクト１１の圧力損失が大きいため大きな音が発生するという問題点があった。ダクト寸法を確保するために図９のように本体１の下に外気取入用ボックス１７を取り付ける方法もあるが、コストが高くなりかつ天井に埋め込むためのスペースが外気取入用ボックス１７の分だけ余計に必要になる。
また、外気は外気導入ダクト９及び本体内蔵ダクト１１を通って取り入れられるため、その風路抵抗分だけの圧力損失をブースタファン１０を設けて補う必要があり、ブースタファン１０に供給する電源配線を空気調和機とは別にする必要があった。さらに、ブースタファン１０を駆動するとその駆動音が外気導入用ダクト９を通して本体１に伝わり、騒音が発生するという問題点があった。
【０００５】
この発明は、上記のような問題点を解消するためになされたもので、空気調和機本体に本体内蔵ダクトのスペースを設ける必要や外気取入用ボックスを取り付ける必要がないとともに、ブースタファンを用いることなく、静かに十分な新鮮外気を取り入れることができる空気調和機を得ることを目的としている。
【０００６】
【課題を解決するための手段】
この発明に係る天吊カセット形空気調和機は、本体天井面中央部にノックアウトを有する空気調和機本体と、この本体の下面中央部に開口する吸込口と、本体周辺に沿って開口する吹出口と、本体内部の中央に設けられた空気循環用ファンと、この空気循環用ファンを駆動するモータと、を備えた天吊カセット形空気調和機において、ノックアウトに取り付けられた外気取入用ダクトと、ノックアウトに対向して本体の内側に設けられ、モータで駆動される外気取入用薄型ファンとを具備したことを特徴とする天吊カセット形空気調和機。
【０００７】
また、この発明に係る天吊カセット形空気調和機は、外気取入用ベルマウスを外気取入用ダクトの先端とともにノックアウトに取り付けることを特徴とする。
【０００８】
また、この発明に係る天吊カセット形空気調和機は、本体天井面で外気取入用ベルマウスを形成したことを特徴とする。
【０００９】
また、この発明に係る天吊カセット形空気調和機は、本体天井面中央部にノックアウトを有する空気調和機本体と、この本体の下面中央部に開口する吸込口と、本体周辺に沿って開口する吹出口と、本体内部の中央に設けられた空気循環用ファンと、この空気循環用ファンを駆動するモータと、を備えた天吊カセット形空気調和機において、ノックアウトに取り付けられた外気取入用ダクトと、ノックアウトに対向して本体の外側に設けられ、モータで駆動される外気取入用薄型ファンとを具備したことを特徴とする。
【００１０】
また、この発明に係る天吊カセット形空気調和機は、外気取入用ダクトを外気取入用ファンケーシングを介してノックアウトに取り付けたことを特徴とする。
【００１１】
【作用】
この発明に係る天吊カセット形空気調和機は、ブースタファンを用いることなく外気を空気調和機内部に導入することができる。また、ブースタファンを外気取入ダクトの途中に設ける必要がなくなり、ダクトの取付が容易になるとともにブースタファンから発生する騒音の問題がなくなる。さらに、空気調和機本体に内蔵ダクトを設ける必要がなくなり、空気調和機を小さく構成できるとともに、圧力損失が減り騒音値が低くなる。
【００１２】
【実施例】
実施例１．
図１はこの発明の実施例１を示す断面図であり、１から９は上記従来装置と同一のものである。１２は外気取入用薄型ファンであって、この実施例ではターボファンが使われており、空気循環用ファン４を駆動するモータ５で空気循環用ファン４とともに駆動される。１３は外気取入用ベルマウスで外気導入ダクト９の先端とともにノックアウト８に取り付ける。
【００１３】
前記のように構成された空気調和機においてはモータ５を駆動すると空気循環用ファン４が回転し吸込口２から室内空気を吸い込むと同時に、外気取入用薄型ファン１２が回転し、ダクト９の圧力損失を補いノックアウト８から外気を取り込む。取り込まれた外気は周方向に送り出され、空気循環用ファン４により周方向に送り出された室内空気と合流し、熱交換器７で熱交換された後、吹出口３から室内へ導出される。
【００１４】
実施例２．
上記実施例１では外気取入用ベルマウス１３をノックアウト８に取り付けたが、図２で示す実施例２では本体天井面でベルマウス部を形成したもので、ベルマウスを用いずに同様の動作が期待できる。
【００１５】
実施例３．
図３は外気取入用薄型ファン１２として軸流ファンを使用し、外気取入用ファンケーシング１４にモータ取付用レグ６を取付け、モータ５を固定している。
【００１６】
この図３に示す実施例３では、外気取入用薄型ファン１２が回転しダクト９の圧力損失を補いノックアウト８から外気を取り込む。取り込まれた外気は外気取入用ファンケーシング１４を通り、外気吹出口１６から、空気循環用ファン４の中央部分に送り出され、空気循環用ファン４により吸い込まれた室内空気と合流し、周方向に送り出され、熱交換器７で熱交換された後、吹出口３から室内へ導出される。
【００１７】
実施例４．
図４は外気取入用薄型ファン１２を本体外側に備えた例で、ファンとして軸流ファンを使っている。１４は外気取入用ファンケーシングでノックアウト８に取り付けてあり、上端には外気導入ダクトの先端が接続され、実施例３と同様の動作が得られる。
【００１８】
実施例５．
上記実施例４では外気取入用ファンケーシング１４をノックアウト８に取り付けたが、図５で示す実施例５では本体天井面及び外気導入ダクト９でファンケーシングを形成したもので、外気取付用ファンケーシング１４を用いずに同様の動作が期待できる。
【００１９】
実施例６．
図６はダクトアダプタ１５を介して外気導入ダクトを本体サイドに取り付けた実施例の外形図で、図７はその断面図である。こうすることにより天井ふところ高さを低くすることができる。この場合の外気導入ダクト９をノックアウト８に直接取り付けた場合よりも圧力損失が大きくなり、その分外気取入量が減る可能性がある。そこでなるべく高さを抑えるためには、幅の広い形状にし、風路面積を大きくする必要がある。
【００２０】
【発明の効果】
この発明に係るの天吊カセット形空気調和機は、本体天井面中央部にノックアウトを有する空気調和機本体と、この本体の下面中央部に開口する吸込口と、本体周辺に沿って開口する吹出口と、本体内部の中央に設けられた空気循環用ファンと、この空気循環用ファンを駆動するモータと、を備えた天吊カセット形空気調和機において、ノックアウトに取り付けられた外気取入用ダクトと、ノックアウトに対向して本体の内側に設けられ、モータで駆動される外気取入用薄型ファンと、を具備した構成にしたので、ブースタファンを用いることなく外気を空気調和機内部に導入することができる。
また、ブースタファンを外気取入ダクトの途中に設ける必要がなくなり、ダクトの取付が容易になるとともにブースタファンから発生する騒音の問題がなくなる。
さらに、空気調和機本体に内蔵ダクトを設ける必要がなくなり、空気調和機を小さく構成できるとともに、圧力損失が減り騒音値が低くなる。
【００２１】
また、この発明に係るの天吊カセット形空気調和機は、本体天井面中央部にノックアウトを有する空気調和機本体と、この本体の下面中央部に開口する吸込口と、本体周辺に沿って開口する吹出口と、本体内部の中央に設けられた空気循環用ファンと、この空気循環用ファンを駆動するモータと、を備えた天吊カセット形空気調和機において、ノックアウトに取り付けられた外気取入用ダクトと、ノックアウトに対向して前記本体の外側に設けられ、記モータで駆動される外気取入用薄型ファンとを具備した構成にしたので、ブースタファンを用いることなく外気を空気調和機内部に導入することができる。
また、ブースタファンを外気取入ダクトの途中に設ける必要がなくなり、ダクトの取付が容易になるとともにブースタファンから発生する騒音の問題がなくなる。
さらに、空気調和機本体に内蔵ダクトを設ける必要がなくなり、空気調和機を小さく構成できるとともに、圧力損失が減り騒音値が低くなる。
【図面の簡単な説明】
【図１】この発明の実施例１の空気調和機を示す断面図である。
【図２】この発明の実施例２の空気調和機を示すベルマウス部の断面図である。
【図３】この発明の実施例３の空気調和機を示す断面図である。
【図４】この発明の実施例４の空気調和機を示す断面図である。
【図５】この発明の実施例５の空気調和機のファンケーシング部の断面図である。
【図６】この発明の実施例６の空気調和機を示す外形図である。
【図７】この発明の実施例６の空気調和機を示す断面図である。
【図８】従来の空気調和機を示す断面図である。
【図９】従来の空気調和機に外気取入用ボックスを取り付けた状態を示す外形図である。
【符号の説明】
１  空気調和機本体
２  吸込口
３  吹出口
４  空気循環用ファン
５  モータ
６  モータ取付用レグ
７  熱交換器
８  ノックアウト
９  外気導入ダクト
１２  外気取入用薄型ファン
１３  外気取入用ベルマウス
１４  外気取入用ファンケーシング
１５  ダクトアダプタ
１６  外気吹出口
１７  外気取入用ボックス
１８  外気導入風量調整機
【図１】
0003590411.tif 000002
【図２】
0003590411.tif 000003
【図３】
0003590411.tif 000004
【図４】
0003590411.tif 000005
【図５】
0003590411.tif 000006
【図６】
0003590411.tif 000007
【図７】
0003590411.tif 000008
【図８】
0003590411.tif 000009
【図９】
0003590411.tif 000010